(57)【要約】【課題】通常の調湿運転の停止中に、調湿運転以外の停止時運転が行われる調湿装置において、停止時運転も確実に停止することができる調湿装置を提供する。【解決手段】調湿装置（10）は、第１及び第２吸着熱交換器（51,52）と、ケーシング（11）内の熱交換器室（37,38）と空気通路（31〜34,37,38,81,82）との連通及び遮断状態を切り換えるダンパ（41〜48,83,84）と、ダンパ（41〜48,83,84）の開閉を制御するコントローラ（60）とを備えている。コントローラ（60）は、通常調湿運転等の運転中動作と単純換気運転等の停止中動作と選択的に行う一方、強制停止指令を受けると、運転中動作及び停止中動作転を強制的に停止し且つダンパ（41〜48,83,84）を全閉状態にする強制停止動作を行う。【選択図】図１
2009109095.tif 000002
【特許請求の範囲】
【請求項１】
内部に空気通路（31〜34,37,38,81,82）が形成されたケーシング（11）と、該ケーシング（11）内に配設されて該空気通路（31〜34,37,38,81,82）を流れる空気の湿度を調節する調湿手段（50）とを備え、該ケーシング（11）内に取り込んだ室外空気を該調湿手段（50）により湿度調節してから室内へ供給すると共に、該ケーシング（11）内に取り込んだ室内空気を室外へ排出する調湿装置であって、
前記ケーシング（11）内に配設されて前記空気通路（31〜34,37,38,81,82）のうち室内と室外とを連通させる箇所を開閉する開閉機構（41〜48,83,84）をさらに備えており、
ユーザが入力した運転指令に応じて運転を行う運転中動作と、ユーザからの停止指令が入力された後で且つユーザから該運転指令が入力される前に前記ケーシング（11）内の前記空気通路（31〜34,37,38,81,82）で空気を流通させる停止中動作とを選択的に行う一方、
強制停止指令を受けたときに、前記運転中動作及び前記停止中動作を強制的に停止させると共に前記開閉機構（41〜48,83,84）を閉じて室内と室外との間を遮断する強制停止動作を行うことを特徴とする調湿装置。
【請求項２】
請求項１において、
前記停止中動作は、室外空気を調湿することなく室内に供給する一方、室内空気を調湿することなく室外へ排出する換気運転であることを特徴とする調湿装置。
【請求項３】
請求項１において、
前記調湿手段（50）は、空気中の水分の吸着と空気への水分の脱離とが可能な吸着部材（51,52）を有しており、
前記停止中動作は、前記吸着部材（51,52）から臭気物質を脱離させるために、取り込んだ空気中の水分を前記吸着部材（51,52）へ吸着させて該吸着部材（51,52）の含水量を前記調湿運転中における吸着部材（51,52）の含水量の最大値以上にするパージ運転であることを特徴とする調湿装置。
【発明の詳細な説明】
【技術分野】
【０００１】
本発明は、吸着部材で調湿した室外空気又は室内空気を室内へ供給する調湿装置に関するものである。
【背景技術】
【０００２】
従来より、取り込んだ室外空気又は室内空気を除湿又は加湿して室内へ供給する調湿装置が知られている（例えば、特許文献１参照）。この特許文献の調湿装置は、吸着部材に空気中の水分を吸着させる吸着動作と吸着部材から水分を脱離させる再生動作とを行って空気の湿度を調節するように構成されている。
【０００３】
この特許文献１に係る調湿装置は、２つの吸着部材をそれぞれ収容する２つの吸着部材収容空間と、室外空気及び室内空気がそれぞれ流通し且つ吸着部材収容空間に連通する複数の空気通路と、該吸着部材収容空間と各空気通路との連通及び遮断状態を切り換える開閉機構とを備えている。詳しくは、複数の空気通路は、室内空気を取り込むための内気側通路と、室内へ空気を供給するための給気側通路と、室外空気を取り込むための外気側通路と、室外へ空気を排出するための排気側通路とを含んでいる。そして、各通路は２つの吸着部材収容空間にそれぞれ繋がっており、各通路と２つの吸着部材収容空間との間にそれぞれ開閉機構が設けられている。すなわち、各通路につき２つの開閉機構が設けられており、調湿装置全体としては８つの開閉機構が設けられている。
【０００４】
このように構成された調湿装置は、８つの開閉機構をそれぞれ開閉制御することによって、室内空気及び室外空気の流通態様を切り換えて、室外空気を吸着部材で調湿して室内へ供給したり、室内空気を吸着部材で調湿して室内へ供給したりしている。
【０００５】
また、このような調湿装置と常時換気装置とを組み合わせたものも知られている。例えば、特許文献２に係る換気システムは、室外空気又は室内空気を調湿して室内へ供給する調湿装置と２４時間換気を行う常時換気装置とを組み合わせている。かかる換気システムでは、調湿装置が必要に応じて作動するのに対し、常時換気装置は常時作動しており、調湿装置が停止しているときにも作動している。
【０００６】
このように、調湿運転等の運転中動作を停止したときであっても、調湿運転以外の何らかの運転（例えば、前述の換気運転）を実行する停止中動作を行っている調湿装置が知られている。
【特許文献１】特開２００６−３４９３０４号公報
【特許文献２】特開２００５−２９１５５９号公報
【発明の開示】
【発明が解決しようとする課題】
【０００７】
しかしながら、前述の如く、運転中動作を停止しているときに、調湿運転以外の、ケーシング内で室外空気又は室内空気を流通させる運転（以下、停止中動作ともいう）を実行する調湿装置においては、以下のような問題がある。
【０００８】
すなわち、運転中動作は、通常は、ユーザのＯＮ／ＯＦＦ操作によってその作動と停止とが切り換えられるのに対して、常時換気運転等の停止中動作は常時、あるいは、調湿装置の停止中に自動的に実行される。そのため、緊急時等、室外空気又は室内空気の流通を停止したい場合にユーザが調湿装置をＯＦＦ操作しても、調湿運転等の運転中動作が停止するのみで、常時換気運転等の停止中動作は継続して行われる。
【０００９】
本発明は、かかる点に鑑みてなされたものであり、その目的とするところは、調湿運転等の運転中動作の停止中に、停止中動作が行われる調湿装置において、停止中動作も確実に停止することができる調湿装置を提供することにある。
【課題を解決するための手段】
【００１０】
第１の発明は、内部に空気通路が形成されたケーシング（11）と、該ケーシング（11）内に配設されて該空気通路（31〜34,37,38,81,82）を流れる空気の湿度を調節する調湿手段（50）とを備え、該ケーシング（11）内に取り込んだ室外空気を該調湿手段（50）により湿度調節してから室内へ供給すると共に、該ケーシング（11）内に取り込んだ室内空気を室外へ排出する調湿装置が対象である。そして、前記ケーシング（11）内に配設されて前記空気通路（31〜34,37,38,81,82）のうち室内と室外とを連通させる箇所を開閉する開閉機構（41〜48,83,84）をさらに備えており、ユーザが入力した運転指令に応じて運転を行う運転中動作と、ユーザからの停止指令が入力された後で且つユーザから該運転指令が入力される前に前記ケーシング（11）内の前記空気通路（31〜34,37,38,81,82）で空気を流通させる停止中動作とを選択的に行う一方、強制停止指令を受けたときに、前記運転中動作及び前記停止中動作を強制的に停止させると共に前記開閉機構（41〜48,83,84）を閉じて室内と室外との間を遮断する強制停止動作を行うものとする。
【００１１】
前記の構成の場合、調湿装置は、ユーザから運転指令を受けると、例えば調湿運転等の運転中動作を行う一方、ユーザから停止指令を受けると、例えば換気運転等の停止中動作を行う。そして、調湿装置は、このように運転中動作と停止中動作とを選択的に行っている状態において、外部から強制停止指令を受けると、運転中動作及び停止中動作を強制的に停止させると共に、開閉機構（41〜48,83,84）を閉じて室内と室外との間を遮断する強制停止動作を行う。つまり、調湿装置を該強制停止動作を実行可能に構成することによって、運転中動作だけでなく停止中動作をも完全に停止させることができ、室内外での空気のやりとりを停止させることができる。また、この強制停止動作時に、開閉機構（41〜48,83,84）を閉じることによって、室内外での空気のやりとりを確実に遮断することができる。
【００１２】
第２の発明は、第１の発明において、前記停止中動作は、室外空気を調湿することなく室内に供給する一方、室内空気を調湿することなく室外へ排出する換気運転であるものとする。
【００１３】
前記の構成の場合、調湿装置が停止指令を受けると、運転中動作を停止して、室外空気と室内空気とを調湿することなく単に交換する換気運転だけを実行する。そして、調湿装置が強制停止指令を受けると、換気運転を停止すると共に、前記開閉機構（41〜48,83,84）を全閉状態にする。つまり、ケーシング（11）内における室外空気及び室内空気の流れを停止すると共に、空気通路（31〜34,37,38,81,82）を完全に遮断して、室外から室内への空気の流入及び室内から室外への空気の流出を防止することができる。
【００１４】
第３の発明は、第１の発明において、前記調湿手段（50）は、空気中の水分の吸着と空気への水分の脱離とが可能な吸着部材（51,52）を有しており、前記停止中動作は、前記吸着部材（51,52）から臭気物質を脱離させるために、取り込んだ空気中の水分を前記吸着部材（51,52）へ吸着させて該吸着部材（51,52）の含水量を前記調湿運転中における吸着部材（51,52）の含水量の最大値以上にするパージ運転であるものとする。
【００１５】
前記の構成の場合、調湿装置が通常停止指令を受けると、運転中動作を停止して、パージ運転を実行する。このパージ運転とは、調湿した空気を室内に供給することを目的とするのではなく、吸着部材（51,52）の臭気物質を離脱させることを目的として、該吸着部材（51,52）に空気を通過させて該吸着部材（51,52）に水分を吸着させる運転である。つまり、停止中動作においては運転中動作を停止している間に、パージ運転を行って吸着部材（51,52）の臭気物質を離脱させている。
【００１６】
そして、調湿装置が強制停止指令を受けると、パージ運転を停止すると共に、前記開閉機構（41〜48,83,84）を全閉状態にする。つまり、ケーシング（11）内における室外空気及び室内空気の流れを停止すると共に、空気通路（31〜34,37,38,81,82）を完全に遮断して、室外から室内への空気の流入及び室内から室外への空気の流出を防止することができる。
【発明の効果】
【００１７】
本発明によれば、調湿装置が強制停止指令を受けたときに前記運転中動作に加えて前記停止中動作も停止することによって、ケーシング（11）内での室外空気及び室内空気の流通を停止すると共に、前記開閉機構（41〜48,83,84）を全閉状態にすることによって、空気通路（31〜34,37,38,81,82）が遮断されるため、緊急時等において停止中動作を確実に停止することができると共に、室内外での空気のやりとりを確実に防止することができる。
【００１８】
第２の発明によれば、運転中動作を停止しているときに換気運転を実行する調湿装置において、強制停止指令を受けると、運転中動作に加えて該換気運転を停止することによって、ケーシング（11）内での室外空気及び室内空気の流通を停止すると共に、空気通路（31〜34,37,38,81,82）を遮断して、室内外での空気のやりとりを確実に防止することができる。
【００１９】
第３の発明によれば、運転中動作を停止するときにパージ運転を実行する調湿装置において、強制停止指令を受けると、運転中動作に加えて該パージ運転を停止することによって、ケーシング（11）内での室外空気及び室内空気の流通を停止すると共に、空気通路（31〜34,37,38,81,82）を遮断して、室内外での空気のやりとりを確実に防止することができる。
【発明を実施するための最良の形態】
【００２０】
以下、本発明の実施形態を図面に基づいて詳細に説明する。
【００２１】
本実施形態の調湿装置（10）は、室内の湿度調節と共に室内の換気を行うものであり、取り込んだ室外空気（OA）を湿度調節して室内へ供給すると同時に、取り込んだ室内空気（RA）を室外に排出する。
【００２２】
〈調湿装置の全体構成〉
調湿装置（10）について、図１，図２を適宜参照しながら説明する。なお、ここでの説明で用いる「上」「下」「左」「右」「前」「後」「手前」「奥」は、特にことわらない限り、調湿装置（10）を前面側から見た場合の方向を意味している。
【００２３】
調湿装置（10）は、ケーシング（11）を備えている。また、ケーシング（11）内には、冷媒回路（50）が収容されている。この冷媒回路（50）には、第１吸着熱交換器（51）、第２吸着熱交換器（52）、圧縮機（53）、四方切換弁（54）及び電動膨張弁（55）が接続されている。冷媒回路（50）の詳細は後述する。
【００２４】
ケーシング（11）は、やや扁平で高さが比較的低い直方体状に形成されている。図１に示すケーシング（11）では、左手前の側面（即ち、前面）が前面パネル部（12）となり、右奥の側面（即ち、背面）が背面パネル部（13）となり、右手前の側面が第１側面パネル部（14）となり、左奥の側面が第２側面パネル部（15）となっている。
【００２５】
ケーシング（11）には、外気吸込口（24）と、内気吸込口（23）と、給気口（22）と、排気口（21）とが形成されている。外気吸込口（24）及び内気吸込口（23）は、背面パネル部（13）に開口している。外気吸込口（24）は、背面パネル部（13）の下側部分に配置されている。内気吸込口（23）は、背面パネル部（13）の上側部分に配置されている。給気口（22）は、第１側面パネル部（14）における前面パネル部（12）側の端部付近に配置されている。排気口（21）は、第２側面パネル部（15）における前面パネル部（12）側の端部付近に配置されている。
【００２６】
ケーシング（11）の内部空間には、上流側仕切板（71）と、下流側仕切板（72）と、中央仕切板（73）と、第１仕切板（74）と、第２仕切板（75）とが設けられている。これらの仕切板（71〜75）は、何れもケーシング（11）の底板に立設されており、ケーシング（11）の内部空間をケーシング（11）の底板から天板に亘って区画している。
【００２７】
上流側仕切板（71）及び下流側仕切板（72）は、前面パネル部（12）及び背面パネル部（13）と平行な姿勢で、ケーシング（11）の前後方向に所定の間隔をおいて配置されている。上流側仕切板（71）は、背面パネル部（13）寄りに配置されている。下流側仕切板（72）は、前面パネル部（12）寄りに配置されている。
【００２８】
第１仕切板（74）及び第２仕切板（75）は、第１側面パネル部（14）及び第２側面パネル部（15）と平行な姿勢で設置されている。第１仕切板（74）は、上流側仕切板（71）と下流側仕切板（72）の間の空間を右側から塞ぐように、第１側面パネル部（14）から所定の間隔をおいて配置されている。第２仕切板（75）は、上流側仕切板（71）と下流側仕切板（72）の間の空間を左側から塞ぐように、第２側面パネル部（15）から所定の間隔をおいて配置されている。
【００２９】
中央仕切板（73）は、上流側仕切板（71）及び下流側仕切板（72）と直交する姿勢で、上流側仕切板（71）と下流側仕切板（72）の間に配置されている。中央仕切板（73）は、上流側仕切板（71）から下流側仕切板（72）に亘って設けられ、上流側仕切板（71）と下流側仕切板（72）の間の空間を左右に区画している。
【００３０】
ケーシング（11）内において、上流側仕切板（71）と背面パネル部（13）の間の空間は、上下２つの空間に仕切られており、上側の空間が内気側通路（32）を構成し、下側の空間が外気側通路（34）を構成している。内気側通路（32）は、内気吸込口（23）に接続するダクトを介して室内と連通している。内気側通路（32）には、内気側フィルタ（27）と内気湿度センサ（96）とが設置されている。外気側通路（34）は、外気吸込口（24）に接続するダクトを介して室外空間と連通している。外気側通路（34）には、外気側フィルタ（28）と外気湿度センサ（97）とが設置されている。
【００３１】
ケーシング（11）内における上流側仕切板（71）と下流側仕切板（72）の間の空間は、中央仕切板（73）によって左右に区画されており、中央仕切板（73）の右側の空間が第１熱交換器室（37）を構成し、中央仕切板（73）の左側の空間が第２熱交換器室（38）を構成している。第１熱交換器室（37）には、第１吸着熱交換器（51）が収容されている。第２熱交換器室（38）には、第２吸着熱交換器（52）が収容されている。また、図示しないが、第１熱交換器室（37）には、冷媒回路（50）の電動膨張弁（55）が収容されている。これら第１及び第２熱交換器室（37,38）が空気通路を構成する。
【００３２】
各吸着熱交換器（51,52）は、いわゆるクロスフィン型のフィン・アンド・チューブ熱交換器の表面に吸着剤を担持させたものであって、全体として長方形の厚板状あるいは扁平な直方体状に形成されている。各吸着熱交換器（51,52）は、その前面及び背面が上流側仕切板（71）及び下流側仕切板（72）と平行になる姿勢で、熱交換器室（37,38）内に立設されている。
【００３３】
ケーシング（11）の内部空間において、下流側仕切板（72）の前面に沿った空間は、上下に仕切られており、この上下に仕切られた空間のうち、上側の部分が給気側通路（31）を構成し、下側の部分が排気側通路（33）を構成している。
【００３４】
上流側仕切板（71）には、開閉式のダンパ（41〜44）が４つ設けられている。各ダンパ（41〜44）は、概ね横長の長方形状に形成されている。具体的に、上流側仕切板（71）のうち内気側通路（32）に面する部分（上側部分）では、中央仕切板（73）よりも右側に第１内気側ダンパ（41）が取り付けられ、中央仕切板（73）よりも左側に第２内気側ダンパ（42）が取り付けられる。また、上流側仕切板（71）のうち外気側通路（34）に面する部分（下側部分）では、中央仕切板（73）よりも右側に第１外気側ダンパ（43）が取り付けられ、中央仕切板（73）よりも左側に第２外気側ダンパ（44）が取り付けられる。
【００３５】
下流側仕切板（72）には、開閉式のダンパ（45〜48）が４つ設けられている。各ダンパ（45〜48）は、概ね横長の長方形状に形成されている。具体的に、下流側仕切板（72）のうち給気側通路（31）に面する部分（上側部分）では、中央仕切板（73）よりも右側に第１給気側ダンパ（45）が取り付けられ、中央仕切板（73）よりも左側に第２給気側ダンパ（46）が取り付けられる。また、下流側仕切板（72）のうち排気側通路（33）に面する部分（下側部分）では、中央仕切板（73）よりも右側に第１排気側ダンパ（47）が取り付けられ、中央仕切板（73）よりも左側に第２排気側ダンパ（48）が取り付けられる。
【００３６】
ケーシング（11）内において、給気側通路（31）及び排気側通路（33）と前面パネル部（12）との間の空間は、仕切板（77）によって左右に仕切られており、仕切板（77）の右側の空間が給気ファン室（36）を構成し、仕切板（77）の左側の空間が排気ファン室（35）を構成している。
【００３７】
給気ファン室（36）には、給気ファン（26）が収容されている。また、排気ファン室（35）には排気ファン（25）が収容されている。給気ファン（26）及び排気ファン（25）は、何れも遠心型の多翼ファン（いわゆるシロッコファン）である。給気ファン（26）は、下流側仕切板（72）側から吸い込んだ空気を給気口（22）へ吹き出す。排気ファン（25）は、下流側仕切板（72）側から吸い込んだ空気を排気口（21）へ吹き出す。
【００３８】
給気ファン室（36）には、冷媒回路（50）の圧縮機（53）と四方切換弁（54）とが収容されている。圧縮機（53）及び四方切換弁（54）は、給気ファン室（36）における給気ファン（26）と仕切板（77）との間に配置されている。
【００３９】
ケーシング（11）内において、第１仕切板（74）と第１側面パネル部（14）の間の空間は、第１バイパス通路（81）を構成している。第１バイパス通路（81）の始端は、外気側通路（34）だけに連通しており、内気側通路（32）からは遮断されている。第１バイパス通路（81）の終端は、仕切板（78）によって、給気側通路（31）、排気側通路（33）、及び給気ファン室（36）から区画されている。仕切板（78）のうち給気ファン室（36）に臨む部分には、第１バイパス用ダンパ（83）が設けられている。
【００４０】
ケーシング（11）内において、第２仕切板（75）と第２側面パネル部（15）の間の空間は、第２バイパス通路（82）を構成している。第２バイパス通路（82）の始端は、内気側通路（32）だけに連通しており、外気側通路（34）からは遮断されている。第２バイパス通路（82）の終端は、仕切板（79）によって、給気側通路（31）、排気側通路（33）、及び排気ファン室（35）から区画されている。仕切板（79）のうち排気ファン室（35）に臨む部分には、第２バイパス用ダンパ（84）が設けられている。
【００４１】
これら給気側通路（31）、内気側通路（32）、排気側通路（33）、外気側通路（34）、第１バイパス通路（81）及び第２バイパス通路（82）が空気通路を構成する。また、第１内気側ダンパ（41）、第２内気側ダンパ（42）、第１外気側ダンパ（43）、第２外気側ダンパ（44）、第１給気側ダンパ（45）、第２給気側ダンパ（46）、第１排気側ダンパ（47）、第２排気側ダンパ（48）、第１バイパス用ダンパ（83）及び第２バイパス用ダンパ（84）が開閉機構を構成する。
【００４２】
なお、図２の右側面図及び左側面図では、第１バイパス通路（81）、第２バイパス通路（82）、第１バイパス用ダンパ（83）、及び第２バイパス用ダンパ（84）の図示を省略している。
【００４３】
〈冷媒回路の構成〉
図３に示すように、冷媒回路（50）は、第１吸着熱交換器（51）、第２吸着熱交換器（52）、圧縮機（53）、四方切換弁（54）、及び電動膨張弁（55）が設けられた閉回路である。この冷媒回路（50）は、充填された冷媒を循環させることによって、蒸気圧縮冷凍サイクルを行う。この冷媒回路（50）が調湿手段を構成する。
【００４４】
冷媒回路（50）において、圧縮機（53）は、その吐出側が四方切換弁（54）の第１のポートに、その吸入側が四方切換弁（54）の第２のポートにそれぞれ接続されている。また、冷媒回路（50）では、第１吸着熱交換器（51）と電動膨張弁（55）と第２吸着熱交換器（52）とが、四方切換弁（54）の第３のポートから第４のポートへ向かって順に接続されている。
【００４５】
四方切換弁（54）は、第１のポートと第３のポートが連通して第２のポートと第４のポートが連通する第１状態（図３(Ａ)に示す状態）と、第１のポートと第４のポートが連通して第２のポートと第３のポートが連通する第２状態（図３(Ｂ)に示す状態）とに切り換え可能となっている。
【００４６】
圧縮機（53）は、冷媒を圧縮する圧縮機構と、圧縮機構を駆動する電動機とが１つのケーシングに収容された全密閉型の圧縮である。圧縮機（53）の電動機へ供給する交流の周波数（即ち、圧縮機（53）の運転周波数）を変化させると、電動機により駆動される圧縮機構の回転速度が変化し、単位時間当たりに圧縮機（53）から吐出される冷媒の量が変化する。つまり、この圧縮機（53）、容量可変に構成されている。
【００４７】
冷媒回路（50）において、圧縮機（53）の吐出側と四方切換弁（54）の第１のポートとを繋ぐ配管には、高圧圧力センサ（91）と吐出管温度センサ（93）とが取り付けられている。高圧圧力センサ（91）は、圧縮機（53）から吐出された冷媒の圧力を計測する。吐出管温度センサ（93）は、圧縮機（53）から吐出された冷媒の温度を計測する。
【００４８】
また、冷媒回路（50）において、圧縮機（53）の吸入側と四方切換弁（54）の第２のポートとを繋ぐ配管には、低圧圧力センサ（92）と吸入管温度センサ（94）とが取り付けられている。低圧圧力センサ（92）は、圧縮機（53）へ吸入される冷媒の圧力を計測する。吸入管温度センサ（94）は、圧縮機（53）へ吸入される冷媒の温度を計測する。
【００４９】
また、冷媒回路（50）において、四方切換弁（54）の第３のポートと第１吸着熱交換器（51）とを繋ぐ配管には、配管温度センサ（95）が取り付けられている。配管温度センサ（95）は、この配管における四方切換弁（54）の近傍に配置され、配管内を流れる冷媒の温度を計測する。
【００５０】
〈コントローラの構成〉
調湿装置（10）には、制御部としてのコントローラ（60）が設けられている。図１及び図２では省略されているが、ケーシング（11）の前面パネル部（12）には電装品箱が取り付けられており、この電装品箱に収容された制御基板がコントローラ（60）を構成している。
【００５１】
コントローラ（60）には、内気湿度センサ（96）、内気温度センサ、外気湿度センサ（97）、及び外気温度センサの計測値が入力されている。また、コントローラ（60）には、冷媒回路（50）に設けられた各センサ（91,92,…）の計測値が入力されている。さらに、コントローラ（60）には、ユーザが操作するリモコン（図示省略）等から出力される操作信号が入力されている。
【００５２】
コントローラ（60）は、入力されたこれら操作信号及び計測値に基づいて、調湿装置（10）の運転制御を行う。具体的には、コントローラ（60）は、各ダンパ（41〜48,83,84）、各ファン（25,26）、圧縮機（53）、電動膨張弁（55）、及び四方切換弁（54）の動作を制御する。
【００５３】
さらに詳しく説明すると、コントローラ（60）は、ユーザの意図的な操作により後述する除湿換気運転、加湿換気運転（以下、通常調湿運転ともいう）及び単純換気運転の何れかを実行する通常運転モードと、ユーザが意図的に停止操作を行った後、自動的に単純換気運転及び後述するパージ運転（以下、停止時運転ともいう）の何れかを実行する停止時運転モードと、除湿換気運転、加湿換気運転、単純換気運転及びパージ運転の何れをも実行しない強制停止モードとを有していて、前記操作信号に応じて各モードを切り換える。
【００５４】
具体的には、コントローラ（60）は、リモコン等から除湿換気運転、加湿換気運転及び単純換気運転の何れかを実行すべき操作信号、即ち運転信号（運転指令）が入力されると、通常運転モードに移行して、該操作信号に応じた運転を実行する。これら除湿換気運転、加湿換気運転及び単純換気運転が運転中動作に相当する。
【００５５】
そして、コントローラ（60）は、リモコン等から除湿換気運転、加湿換気運転及び単純換気運転を停止すべき操作信号、即ち、通常停止信号（停止指令）が入力されると、通常運転モードから停止時運転モードに移行し、単純換気運転又はパージ運転を実行する。尚、停止時運転モードにおける単純換気運転と通常運転モードにおける単純換気運転とは、停止時運転モードは僅かな風量で換気を行うのに対し、通常運転モードでは停止時運転モードよりも大きな風量で換気を行う点で異なる。停止時運転モードにおいて単純換気運転及びパージ運転の何れを実行するかについては後述する。これら単純換気運転及びパージ運転が停止中動作に相当する。
【００５６】
さらに、コントローラ（60）は、リモコン等から全ての運転を完全に停止すべき操作信号、即ち、強制停止信号（強制停止指令）が入力されると、通常運転モード又は停止時運転モードから強制停止モードに移行し、全ての運転を停止する。
【００５７】
以下に、各モードについて説明する。
【００５８】
−通常運転モード−
通常運転モードにおいては、コントローラ（60）は、外部から入力される操作信号に応じて、以下の除湿換気運転、加湿換気運転及び単純換気運転の何れかを選択的に行う。
【００５９】
〈除湿換気運転〉
除湿換気運転中の調湿装置（10）では、後述する第１通常動作と第２通常動作が所定の時間間隔（例えば３〜４分間隔）で交互に繰り返される。この除湿換気運転中において、第１バイパス用ダンパ（83）及び第２バイパス用ダンパ（84）は、常に閉状態となる。
【００６０】
除湿換気運転中の調湿装置（10）では、室外空気が外気吸込口（24）からケーシング（11）内へ第１空気として取り込まれ、室内空気が内気吸込口（23）からケーシング（11）内へ第２空気として取り込まれる。
【００６１】
先ず、除湿換気運転の第１通常動作について説明する。図４に示すように、この第１通常動作中には、第１内気側ダンパ（41）、第１外気側ダンパ（43）、第２給気側ダンパ（46）、及び第１排気側ダンパ（47）が開状態となり、第２内気側ダンパ（42）、第１外気側ダンパ（43）、第１給気側ダンパ（45）、及び第２排気側ダンパ（48）が閉状態となる。また、この第１通常動作中の冷媒回路（50）では、四方切換弁（54）が第１状態（図３(Ａ)に示す状態）に設定され、第１吸着熱交換器（51）が凝縮器となって第２吸着熱交換器（52）が蒸発器となる。
【００６２】
外気側通路（34）へ流入して外気側フィルタ（28）を通過した第１空気は、第２外気側ダンパ（44）を通って第２熱交換器室（38）へ流入し、その後に第２吸着熱交換器（52）を通過する。第２吸着熱交換器（52）では、第１空気中の水分が吸着剤に吸着され、その際に生じた吸着熱が冷媒に吸熱される。第２吸着熱交換器（52）で除湿された第１空気は、第２給気側ダンパ（46）を通って給気側通路（31）へ流入し、給気ファン室（36）を通過後に給気口（22）を通って室内へ供給される。
【００６３】
一方、内気側通路（32）へ流入して内気側フィルタ（27）を通過した第２空気は、第１内気側ダンパ（41）を通って第１熱交換器室（37）へ流入し、その後に第１吸着熱交換器（51）を通過する。第１吸着熱交換器（51）では、冷媒で加熱された吸着剤から水分が脱離し、この脱離した水分が第２空気に付与される。第１吸着熱交換器（51）で水分を付与された第２空気は、第１排気側ダンパ（47）を通って排気側通路（33）へ流入し、排気ファン室（35）を通過後に排気口（21）を通って室外へ排出される。
【００６４】
次に、除湿換気運転の第２通常動作について説明する。図５に示すように、この第２通常動作中には、第２内気側ダンパ（42）、第１外気側ダンパ（43）、第１給気側ダンパ（45）、及び第２排気側ダンパ（48）が開状態となり、第１内気側ダンパ（41）、第２外気側ダンパ（44）、第２給気側ダンパ（46）、及び第１排気側ダンパ（47）が閉状態となる。また、この第２通常動作中の冷媒回路（50）では、四方切換弁（54）が第２状態（図３(Ｂ)に示す状態）に設定され、第１吸着熱交換器（51）が蒸発器となって第２吸着熱交換器（52）が凝縮器となる。
【００６５】
外気側通路（34）へ流入して外気側フィルタ（28）を通過した第１空気は、第１外気側ダンパ（43）を通って第１熱交換器室（37）へ流入し、その後に第１吸着熱交換器（51）を通過する。第１吸着熱交換器（51）では、第１空気中の水分が吸着剤に吸着され、その際に生じた吸着熱が冷媒に吸熱される。第１吸着熱交換器（51）で除湿された第１空気は、第１給気側ダンパ（45）を通って給気側通路（31）へ流入し、給気ファン室（36）を通過後に給気口（22）を通って室内へ供給される。
【００６６】
一方、内気側通路（32）へ流入して内気側フィルタ（27）を通過した第２空気は、第２内気側ダンパ（42）を通って第２熱交換器室（38）へ流入し、その後に第２吸着熱交換器（52）を通過する。第２吸着熱交換器（52）では、冷媒で加熱された吸着剤から水分が脱離し、この脱離した水分が第２空気に付与される。第２吸着熱交換器（52）で水分を付与された第２空気は、第２排気側ダンパ（48）を通って排気側通路（33）へ流入し、排気ファン室（35）を通過後に排気口（21）を通って室外へ排出される。
【００６７】
〈加湿換気運転〉
加湿換気運転中の調湿装置（10）では、後述する第１通常動作と第２通常動作が所定の時間間隔（例えば３〜４分間隔）で交互に繰り返される。この加湿換気運転中において、第１バイパス用ダンパ（83）及び第２バイパス用ダンパ（84）は、常に閉状態となる。
【００６８】
加湿換気運転中の調湿装置（10）では、室外空気が外気吸込口（24）からケーシング（11）内へ第２空気として取り込まれ、室内空気が内気吸込口（23）からケーシング（11）内へ第１空気として取り込まれる。
【００６９】
先ず、加湿換気運転の第１通常動作について説明する。図６に示すように、この第１通常動作中には、第２内気側ダンパ（42）、第１外気側ダンパ（43）、第１給気側ダンパ（45）、及び第２排気側ダンパ（48）が開状態となり、第１内気側ダンパ（41）、第２外気側ダンパ（44）、第２給気側ダンパ（46）、及び第１排気側ダンパ（47）が閉状態となる。また、この第１通常動作中の冷媒回路（50）では、四方切換弁（54）が第１状態（図３(Ａ)に示す状態）に設定され、第１吸着熱交換器（51）が凝縮器となって第２吸着熱交換器（52）が蒸発器となる。
【００７０】
内気側通路（32）へ流入して内気側フィルタ（27）を通過した第１空気は、第２内気側ダンパ（42）を通って第２熱交換器室（38）へ流入し、その後に第２吸着熱交換器（52）を通過する。第２吸着熱交換器（52）では、第１空気中の水分が吸着剤に吸着され、その際に生じた吸着熱が冷媒に吸熱される。第２吸着熱交換器（52）で水分を奪われた第１空気は、第２排気側ダンパ（48）を通って排気側通路（33）へ流入し、排気ファン室（35）を通過後に排気口（21）を通って室外へ排出される。
【００７１】
一方、外気側通路（34）へ流入して外気側フィルタ（28）を通過した第２空気は、第１外気側ダンパ（43）を通って第１熱交換器室（37）へ流入し、その後に第１吸着熱交換器（51）を通過する。第１吸着熱交換器（51）では、冷媒で加熱された吸着剤から水分が脱離し、この脱離した水分が第２空気に付与される。第１吸着熱交換器（51）で加湿された第２空気は、第１給気側ダンパ（45）を通って給気側通路（31）へ流入し、給気ファン室（36）を通過後に給気口（22）を通って室内へ供給される。
【００７２】
次に、加湿換気運転の第２通常動作について説明する。図７に示すように、この第２通常動作中には、第１内気側ダンパ（41）、第２外気側ダンパ（44）、第２給気側ダンパ（46）、及び第１排気側ダンパ（47）が開状態となり、第２内気側ダンパ（42）、第１外気側ダンパ（43）、第１給気側ダンパ（45）、及び第２排気側ダンパ（48）が閉状態となる。また、この第２通常動作中の冷媒回路（50）では、四方切換弁（54）が第２状態（図３(Ｂ)に示す状態）に設定され、第１吸着熱交換器（51）が蒸発器となって第２吸着熱交換器（52）が凝縮器となる。
【００７３】
内気側通路（32）へ流入して内気側フィルタ（27）を通過した第１空気は、第１内気側ダンパ（41）を通って第１熱交換器室（37）へ流入し、その後に第１吸着熱交換器（51）を通過する。第１吸着熱交換器（51）では、第１空気中の水分が吸着剤に吸着され、その際に生じた吸着熱が冷媒に吸熱される。第１吸着熱交換器（51）で水分を奪われた第１空気は、第１排気側ダンパ（47）を通って排気側通路（33）へ流入し、排気ファン室（35）を通過後に排気口（21）を通って室外へ排出される。
【００７４】
一方、外気側通路（34）へ流入して外気側フィルタ（28）を通過した第２空気は、第２外気側ダンパ（44）を通って第２熱交換器室（38）へ流入し、その後に第２吸着熱交換器（52）を通過する。第２吸着熱交換器（52）では、冷媒で加熱された吸着剤から水分が脱離し、この脱離した水分が第２空気に付与される。第２吸着熱交換器（52）で加湿された第２空気は、第２給気側ダンパ（46）を通って給気側通路（31）へ流入し、給気ファン室（36）を通過後に給気口（22）を通って室内へ供給される。
【００７５】
〈単純換気運転〉
単純換気運転中の調湿装置（10）は、取り込んだ室外空気（OA）をそのまま供給空気（SA）として室内へ供給すると同時に、取り込んだ室内空気（RA）をそのまま排出空気（EA）として室外へ排出する。ここでは、単純換気運転中の調湿装置（10）の動作について、図８を参照しながら説明する。
【００７６】
単純換気運転中の調湿装置（10）では、第１バイパス用ダンパ（83）及び第２バイパス用ダンパ（84）が開状態となり、第１内気側ダンパ（41）、第２内気側ダンパ（42）、第１外気側ダンパ（43）、第２外気側ダンパ（44）、第１給気側ダンパ（45）、第２給気側ダンパ（46）、第１排気側ダンパ（47）、及び第２排気側ダンパ（48）が閉状態となる。また、単純換気運転中において、冷媒回路（50）の圧縮機（53）は停止状態となる。
【００７７】
単純換気運転中の調湿装置（10）では、室外空気が外気吸込口（24）からケーシング（11）内へ取り込まれる。外気吸込口（24）を通って外気側通路（34）へ流入した室外空気は、第１バイパス通路（81）から第１バイパス用ダンパ（83）を通って給気ファン室（36）へ流入し、その後に給気口（22）を通って室内へ供給される。
【００７８】
また、単純換気運転中の調湿装置（10）では、室内空気が内気吸込口（23）からケーシング（11）内へ取り込まれる。内気吸込口（23）を通って内気側通路（32）へ流入した室内空気は、第２バイパス通路（82）から第２バイパス用ダンパ（84）を通って排気ファン室（35）へ流入し、その後に排気口（21）を通って室外へ排出される。
【００７９】
この単純換気運転は、前記通常運転モード中は、停止時モード中と比べて大きな風量で行われる。尚、ユーザの操作により風量を制御できるように構成してもよい。
【００８０】
−停止時運転モード−
停止時運転モードにおいては、コントローラ（60）は、通常運転モードにおける除湿換気運転、加湿換気運転及び単純換気運転の何れかを停止するための通常停止信号が外部から入力されると、基本的には、前記単純換気運転を行う。ただし、通常停止信号が入力された際に後述する所定条件が成立しているときには、以下のパージ運転を行う。
【００８１】
尚、停止時運転モード中の単純換気運転は、通常運転モード中と比べて微量な風量で行われる。
【００８２】
〈パージ運転〉
コントローラ（60）は、除湿換気運転及び加湿換気運転の運転時間を積算し、運転時間の積算値が所定の基準値に達すると、調湿装置（10）にパージ運転を実行させる。具体的に、コントローラ（60）は、リモコン等から通常停止信号が入力され且つ、そのときに通常調湿運転の運転時間の積算値が１２時間を超えているときには、パージ運転を実行させる。また、調湿装置（10）は、常に運転されていてリモコン等から通常停止信号が入力されない場合がある。そのような場合、コントローラ（60）は、通常運転の運転時間の積算値が１２０時間を超えると、通常運転モードから停止時運転モードに移行し、調湿装置（10）にパージ運転を強制的に実行させる。この場合は、パージ運転後に通常運転モードに戻る。
【００８３】
パージ運転中の調湿装置（10）では、後述する第１パージ動作と第２パージ動作が１回ずつ行われる。第１パージ動作や第２パージ動作の継続時間であるパージ運転時間ｔpは、第１通常動作や第２通常動作の継続時間（本実施形態では３〜４分間）よりも長い値に設定される。
【００８４】
パージ運転中の調湿装置（10）では、第１外気側ダンパ（43）、第２外気側ダンパ（44）、第１排気側ダンパ（47）、及び第２排気側ダンパ（48）が開状態となり、第１内気側ダンパ（41）、第２内気側ダンパ（42）、第１給気側ダンパ（45）、第２給気側ダンパ（46）、第１バイパス用ダンパ（83）、及び第２バイパス用ダンパ（84）が閉状態となる。また、パージ運転中の調湿装置（10）では、排気ファン（25）だけが運転され、給気ファン（26）は停止したままとなる。
【００８５】
パージ運転中において、外気側通路（34）へ流入した室外空気は、その一部が第１外気側ダンパ（43）を通って第１熱交換器室（37）へ流入し、残りが第２外気側ダンパ（44）を通って第２熱交換器室（38）へ流入する。第１熱交換器室（37）へ流入した空気は、第１吸着熱交換器（51）を通過後に第１排気側ダンパ（47）を通って排気側通路（33）へ流入する。第２熱交換器室（38）へ流入した空気は、第２吸着熱交換器（52）を通過後に第２排気側ダンパ（48）を通って排気側通路（33）へ流入する。そして、排気側通路（33）へ流入した空気は、排気ファン室（35）へ流入し、排気口（21）を通って室外へ排出される。
【００８６】
先ず、第１パージ動作について説明する。第１パージ動作中の冷媒回路（50）では、四方切換弁（54）が第１状態（図３(Ａ)に示す状態）に設定され、第１吸着熱交換器（51）が凝縮器となって第２吸着熱交換器（52）が蒸発器となる。第１吸着熱交換器（51）では、冷媒が室外空気に対して放熱して凝縮する。第２吸着熱交換器（52）では、室外空気中の水分が吸着剤に吸着され、その際に生じる吸着熱を吸熱して冷媒が蒸発する。
【００８７】
第１パージ動作中において、第２吸着熱交換器（52）における冷媒の蒸発温度が室外空気の露点温度となるように圧縮機（53）の容量が調節され、第２吸着熱交換器（52）から流出した冷媒の過熱度が所定の目標値となるように電動膨張弁（55）の開度が調節される。圧縮機（53）の容量制御や電動膨張弁（55）の開度制御は、コントローラ（60）によって行われる。コントローラ（60）の詳細な制御動作については、後述する。
【００８８】
このように、第１パージ動作中には、第２吸着熱交換器（52）に空気中の水分が吸着されてゆく。そして、第１パージ動作の終了直前において、第２吸着熱交換器（52）の含水率（即ち、吸着熱交換器に吸着されている水分量の、吸着熱交換器が吸着可能な水分量に対する割合）が９０％以上になる。除湿換気運転や加湿換気運転において、第１通常動作の終了直前における第２吸着熱交換器（52）の含水率は、７０％程度である。従って、第１パージ動作の終了直前における第２吸着熱交換器（52）の含水量は、第１通常動作の終了直前における第２吸着熱交換器（52）の含水量よりも多くなる。
【００８９】
ここで、調湿装置（10）は空気の湿度を調節するためのものであるため、そこでは水（Ｈ2Ｏ）を吸着する能力の高い吸着剤が用いられる。また、空気中に存在する水蒸気の量は臭気物質の量に比べて非常に多くいため、空気における水蒸気の分圧は臭気物質の分圧に比べて非常に高い。従って、吸着熱交換器（51,52）の吸着剤に対する吸着力は、水の方が臭気物質に比べて高くなる。
【００９０】
このため、第１パージ動作によって第２吸着熱交換器（52）の含水率が高くなると、吸着剤に対する吸着力の強い水蒸気が優先的に吸着剤に吸着され、それまで吸着剤に吸着されていたアンモニア等の臭気物質が吸着剤から脱離してゆく。第２吸着熱交換器（52）から脱離した臭気物質は、第２吸着熱交換器（52）を通過する室外空気と共に流れて室外へ排出される。
【００９１】
次に、第２パージ動作について説明する。第２パージ動作中の冷媒回路（50）では、四方切換弁（54）が第２状態（図３(Ｂ)に示す状態）に設定され、第２吸着熱交換器（52）が凝縮器となって第１吸着熱交換器（51）が蒸発器となる。第２吸着熱交換器（52）では、冷媒が室外空気に対して放熱して凝縮する。第１吸着熱交換器（51）では、室外空気中の水分が吸着剤に吸着され、その際に生じる吸着熱を吸熱して冷媒が蒸発する。
【００９２】
第２パージ動作中において、第１吸着熱交換器（51）における冷媒の蒸発温度が室外空気の露点温度となるように圧縮機（53）の容量が調節され、第１吸着熱交換器（51）から流出した冷媒の過熱度が所定の目標値となるように電動膨張弁（55）の開度が調節される。圧縮機（53）の容量制御や電動膨張弁（55）の開度制御は、コントローラ（60）によって行われる。コントローラ（60）の詳細な制御動作については、後述する。
【００９３】
このように、第２パージ動作中には、第１吸着熱交換器（51）に空気中の水分が吸着されてゆく。そして、第２パージ動作の終了直前において、第１吸着熱交換器（51）の含水率が９０％以上になる。除湿換気運転や加湿換気運転において、第２通常動作の終了直前における第１吸着熱交換器（51）の含水率は、７０％程度である。従って、第２パージ動作の終了直前における第１吸着熱交換器（51）の含水量は、第１通常動作の終了直前における第１吸着熱交換器（51）の含水量よりも多くなる。
【００９４】
上述したように、吸着熱交換器（51,52）の吸着剤に対する吸着力は、水の方が臭気物質に比べて高くなる。このため、第２パージ動作によって第１吸着熱交換器（51）の含水率が高くなると、吸着剤に対する吸着力の強い水蒸気が優先的に吸着剤に吸着され、それまで吸着剤に吸着されていたアンモニア等の臭気物質が吸着剤から脱離してゆく。第１吸着熱交換器（51）から脱離した臭気物質は、第１吸着熱交換器（51）を通過する室外空気と共に流れて室外へ排出される。
【００９５】
以下に、パージ運転中にコントローラ（60）が行う制御動作について、図１０のフロー図を参照しながら説明する。
【００９６】
パージ運転を実行するための前記条件が満たされると、コントローラ（60）は、ステップST10において、第１外気側ダンパ（43）、第２外気側ダンパ（44）、第１排気側ダンパ（47）、及び第２排気側ダンパ（48）を開き、残りのダンパを閉じたままにする。続くステップST11において、コントローラ（60）は、排気ファン（25）を起動する。その際、給気ファン（26）は、停止したままとなる。
【００９７】
ステップST12において、コントローラ（60）は、第１パージ動作や第２パージ動作の継続時間であるパージ運転時間ｔpを設定する。その際、コントローラ（60）は、室外空気の絶対湿度に応じてパージ運転時間ｔpを調節する。具体的に、コントローラ（60）は、外気温度センサが計測した室外空気の温度と、外気湿度センサ（97）が計測した室外空気の相対湿度とを用いて、室外空気の絶対湿度を算出する。そして、コントローラ（60）は、室外空気の絶対湿度が低くなるほどパージ運転時間ｔpが長くなるように、１０分間以上５０分間以下の範囲内でパージ運転時間ｔpの値を設定する。尚、パージ運転時間ｔｐは、パージ動作終了後の吸着熱交換器（51,52）の含水率が、通常調湿運転中における吸着熱交換器（51,52）の含水量の最大値以上となるように設定される。
【００９８】
その後、コントローラ（60）は、ステップST13において、圧縮機（53）を起動する。ここでは、圧縮機（53）を起動した時点で四方切換弁（54）が第１状態（図３(Ａ)に示す状態）になっていると仮定して説明する。その場合には、圧縮機（53）を起動した時点から第１パージ動作が開示される。続くステップST14において、コントローラ（60）は、圧縮機（53）の容量制御と、電動膨張弁（55）の開度制御とを行う。コントローラ（60）は、後述するステップST18までに亘って、圧縮機（53）の容量制御と、電動膨張弁（55）の開度制御とを継続して行う。
【００９９】
具体的に、ステップST14において、コントローラ（60）は、蒸発器となっている第２吸着熱交換器（52）での冷媒の蒸発温度Ｔeが室外空気の露点温度Ｔodewと等しくなるように、圧縮機（53）の運転周波数を調節する。その際、コントローラ（60）は、低圧圧力センサ（92）の計測値を用いて蒸発温度Ｔeを算出し、外気温度センサの計測値と外気湿度センサ（97）の計測値とを用いて室外空気の露点温度を算出する。そして、コントローラ（60）は、蒸発温度Ｔeが露点温度Ｔodewよりも高ければ圧縮機（53）の運転周波数を引き上げ、蒸発温度Ｔeが露点温度Ｔodewよりも低ければ圧縮機（53）の運転周波数を引き下げる。
【０１００】
また、ステップST14において、コントローラ（60）は、蒸発器となっている第２吸着熱交換器（52）から流出した冷媒の過熱度が所定の目標値（例えば３℃）となるように、電動膨張弁（55）の開度を調節する。その際、コントローラ（60）は、低圧圧力センサ（92）が計測した圧縮機（53）の吸入冷媒圧力と、吸入管温度センサ（94）が計測した圧縮機（53）の吸入冷媒温度とを用いて、冷媒の過熱度ＳＨを算出する。そして、コントローラ（60）は、算出した冷媒の過熱度ＳＨが目標値よりも高ければ電動膨張弁（55）の開度を増やし、算出した冷媒の過熱度ＳＨが目標値よりも低ければ電動膨張弁（55）の開度を減らす。
【０１０１】
続くステップST15において、コントローラ（60）は、第１パージ動作の継続時間（即ち、ステップST13で圧縮機（53）を起動した時点からの経過時間）と、ステップST12で設定したパージ運転時間ｔpとを比較する。第１パージ動作の継続時間がパージ運転時間ｔpに達していない場合、コントローラ（60）は、そのまま待機して第１パージ動作を継続させる。一方、第１パージ動作の継続時間がパージ運転時間ｔpに達している場合、コントローラ（60）は、ステップST16へ移り、四方切換弁（54）を第１状態から第２状態（図３(Ｂ)に示す状態）へ切り換える。つまり、コントローラ（60）は、第１パージ動作を終了させて第２パージ動作を開始させる。
【０１０２】
上述したように、第２パージ動作の開始後においても、コントローラ（60）は、圧縮機（53）及び電動膨張弁（55）の制御を継続して行う。つまり、コントローラ（60）は、蒸発器となっている第１吸着熱交換器（51）での冷媒の蒸発温度Ｔeが室外空気の露点温度Ｔodewと等しくなるように、圧縮機（53）の運転周波数を調節する。また、コントローラ（60）は、蒸発器となっている第１吸着熱交換器（51）から流出した冷媒の過熱度が所定の目標値となるように、電動膨張弁（55）の開度を調節する。
【０１０３】
続くステップST17において、コントローラ（60）は、第２パージ動作の継続時間（即ち、ステップST16で四方切換弁（54）を切り換えた時点からの経過時間）と、ステップST12で設定したパージ運転時間ｔpとを比較する。第２パージ動作の継続時間がパージ運転時間ｔpに達していない場合、コントローラ（60）は、そのまま待機して第２パージ動作を継続させる。一方、第２パージ動作の継続時間がパージ運転時間ｔpに達している場合、コントローラ（60）は、ステップST18へ移り、圧縮機（53）を停止させる。
【０１０４】
次のステップST19において、コントローラ（60）は、排気ファン（25）を停止させる。また、更に次のステップST20において、コントローラ（60）は、第１外気側ダンパ（43）、第２外気側ダンパ（44）、第１排気側ダンパ（47）、及び第２排気側ダンパ（48）（即ち、ステップST10で開いたダンパ）を閉じる。
【０１０５】
そして、コントローラ（60）は、パージ運転を終了させる。その際、コントローラ（60）では、それまで積算されていた除湿換気運転および加湿換気運転の運転時間が、ゼロにリセットされる。
【０１０６】
ここで、コントローラ（60）は、リモコン等から通常停止信号が入力され且つ、そのときに通常調湿運転の運転時間の積算値が１２時間を超えていることによってパージ運転を実行していたときには、パージ運転の終了後、停止時運転モードの単純換気運転を実行する。一方、コントローラ（60）は、通常運転の運転時間の積算値が１２０時間を超えることによってパージ運転を実行していたときには、パージ運転の終了後、通常運転モードに移行し、パージ運転前の運転を実行する。
【０１０７】
尚、コントローラ（60）は、調湿装置（10）が設置された直後にも、試運転としてパージ運転を行う。設置前に調湿装置（10）が保管される場所の環境は様々であり、保管中に調湿装置（10）のケーシング（11）内へ臭気物質が侵入して吸着熱交換器（51,52）に吸着されることも想定される。そこで、調湿装置（10）の設置直後には、調湿装置（10）にパージ運転を行わせ、吸着熱交換器（51,52）を確実に臭気物質が吸着されていない状態とし、その後の除湿換気運転や加湿換気運転中に臭気物質が室内へ侵入するのを防いでいる。
【０１０８】
−強制停止モード−
コントローラ（60）が強制停止指令を受けると、以下の強制停止動作を実行する。ここで、強制停止信号は、ユーザからのリモコン操作によって入力されるものであってもよいし、緊急時に外部の機器から送信されてくるものであってもよい。
【０１０９】
詳しくは、強制停止モードでは、前記除湿換気運転、加湿換気運転、単純換気運転及びパージ運転の何れもが停止される。
【０１１０】
つまり、強制停止モードに移行する前は、通常運転モードか停止時運転モードであって、調湿装置（10）は除湿換気運転、加湿換気運転、単純換気運転及びパージ運転のうちの何れかの運転を行っている。その状態で、コントローラ（60）は、強制停止信号が入力されると、実行中の運転を停止する。こうすることで、ケーシング（11）内での空気の流通が停止される。
【０１１１】
また、コントローラ（60）は、運転の停止に加えて、各ダンパ（41〜48,83,84）を全て全閉状態とする。こうすることで、給気側通路（31）、内気側通路（32）、排気側通路（33）及び外気側通路（34）と第１熱交換器室（37）及び第２熱交換器室（38）とを遮断すると共に、第１バイパス通路（81）及び第２バイパス通路（82）と排気ファン室（35）及び給気ファン室（36）とを遮断する。
【０１１２】
このように、強制停止モードでは、ケーシング（11）内における空気の流通を停止すると共に、各通路（31〜34,81,82）の連通状態を遮断するため、室外空気が調湿装置（10）を介して室内へ供給されたり、室内空気が調湿装置（10）を介して室外へ排出されたりすることが防止される。
【０１１３】
−実施形態の効果−
したがって、本実施形態によれば、除湿換気運転や加湿換気運転等の運転中動作を停止しているときに単純換気運転やパージ運転等の停止時運転を行う調湿装置（10）において、強制停止信号が入力されたときに、運転中動作だけでなく停止時運転も停止することによって、ケーシング（11）の排気口（21）、給気口（22）、内気吸込口（23）及び外気吸込口（24）を介して空気が流出入することを停止することができるため、調湿装置（10）を介して室内外で空気のやりとりが行われることを防止することができる。それに加えて、調湿装置（10）は、強制停止信号が入力されたときには、各ダンパ（41〜48,83,84）を全閉状態にすることによって、各通路（31〜34,81,82）の連通状態を遮断することによって、室外又は室内の気流によって、ケーシング（11）の排気口（21）、給気口（22）、内気吸込口（23）又は外気吸込口（24）から空気がケーシング（11）内に流入しようとしても（或いは、流入しても）、各通路（31〜34,81,82）は各ダンパ（41〜48,83,84）で遮断されているため、空気がケーシング（11）内を流通することを防止することができる。
【０１１４】
このように、停止時運転を行う調湿装置（10）に強制停止モードを備えておくことによって、室内外での空気のやりとりを完全に停止させたい緊急時等に、室内外での空気のやりとりを確実に遮断することができる。
【０１１５】
−実施形態の変形例１−
本実施形態の冷媒回路（50）では、冷凍サイクルの高圧が冷媒の臨界圧力よりも高い値に設定される超臨界サイクルを行ってもよい。その場合、第１吸着熱交換器（51）及び第２吸着熱交換器（52）は、その一方がガスクーラとして動作し、他方が蒸発器として動作する。
【０１１６】
−実施形態の変形例２−
本実施形態の調湿装置（10）では、第１吸着熱交換器（51）及び第２吸着熱交換器（52）に担持された吸着剤を冷媒によって加熱し又は冷却しているが、第１吸着熱交換器（51）及び第２吸着熱交換器（52）に対して冷水や温水を供給することで、吸着剤の加熱や冷却を行ってもよい。
【０１１７】
−実施形態の変形例３−
前記実施形態では、調湿装置（10）が次のように構成されていてもよい。
【０１１８】
図１１に示すように、本変形例の調湿装置（10）は、冷媒回路（100）と２つの吸着素子（111,112）とを備えている。冷媒回路（100）は、圧縮機（101）と凝縮器（102）と膨張弁（103）と蒸発器（104）が順に接続された閉回路である。冷媒回路（100）で冷媒を循環させると、蒸気圧縮冷凍サイクルが行われる。第１吸着素子（111）及び第２吸着素子（112）は、ゼオライト等の吸着剤を備えている。各吸着素子（111,112）には多数の空気通路が形成されており、この空気通路を通過する際に空気が吸着剤と接触する。
【０１１９】
本変形例の調湿装置（10）は、除湿換気運転及び加湿換気運転を実行する通常運転モードと、単純換気運転及びパージ運転を実行する停止時運転モードと、除湿換気運転、加湿換気運転、単純換気運転及びパージ運転の全てを停止する強制停止モードを備えている。
【０１２０】
除湿換気運転中や加湿換気運転中の調湿装置（10）は、第１動作と第２動作を所定の時間間隔で交互に繰り返し行う。除湿換気運転中の調湿装置（10）は、室外空気を第１空気として取り込み、室内空気を第２空気として取り込む。一方、加湿換気運転中の調湿装置（10）は、室内空気を第１空気として取り込み、室外空気を第２空気として取り込む。
【０１２１】
先ず、除湿換気運転及び加湿換気運転の第１動作について、図１１(Ａ)を参照しながら説明する。第１動作中の調湿装置（10）は、凝縮器（102）で加熱された第２空気を第１吸着素子（111）へ供給する。第１吸着素子（111）では、吸着剤が第２空気によって加熱され、吸着剤から水分が脱離する。また、第１動作中の調湿装置（10）は、第１空気を第２吸着素子（112）へ供給し、第１空気中の水分を第２吸着素子（112）に吸着させる。第２吸着素子（112）に水分を奪われた第１空気は、蒸発器（104）を通過する際に冷却される。
【０１２２】
次に、除湿換気運転及び加湿換気運転の第２動作について、図１１(Ｂ)を参照しながら説明する。第２動作中の調湿装置（10）は、凝縮器（102）で加熱された第２空気を第２吸着素子（112）へ供給する。第２吸着素子（112）では、吸着剤が第２空気によって加熱され、吸着剤から水分が脱離する。また、第１動作中の調湿装置（10）は、第１空気を第１吸着素子（111）へ供給し、第１空気中の水分を第１吸着素子（111）に吸着させる。第１吸着素子（111）に水分を奪われた第１空気は、蒸発器（104）を通過する際に冷却される。
【０１２３】
そして、除湿換気運転中の調湿装置（10）は、除湿された第１空気（室外空気）を室内へ供給し、吸着素子（111,112）から脱離した水分を第２空気（室内空気）と共に室外へ排出する。また、加湿換気運転中の調湿装置（10）は、加湿された第２空気（室外空気）を室内へ供給し、吸着素子（111,112）に水分を奪われた第１空気（室内空気）を室外へ排出する。
【０１２４】
単純換気運転中の調湿装置（10）では、冷媒回路（100）の圧縮機（101）が停止状態になると共に、第１吸着素子（111）と第２吸着素子（112）のうち一方を室外空気が通過して他方を室内空気が通過する。そして、室外空気は吸着素子（111,112）を通過後に室内へ供給され、室内空気は吸着素子（111,112）を通過後に室外へ排出される。単純換気運転中の調湿装置（10）において、室外空気や室内空気の流通経路の切り換えは行われない。
【０１２５】
なお、以上の実施形態は、本質的に好ましい例示であって、本発明、その適用物、あるいはその用途の範囲を制限することを意図するものではない。
【産業上の利用可能性】
【０１２６】
以上説明したように、本発明は、室内の湿度調節を行うための調湿装置について有用である。
【図面の簡単な説明】
【０１２７】
【図１】前面側から見た調湿装置をケーシングの一部および電装品箱を省略して示す斜視図である。
【図２】調湿装置の一部を省略して示す概略の平面図、右側面図、及び左側面図である。
【図３】冷媒回路の構成を示す配管系統図であって、(Ａ)は第１通常動作中および第１パージ動作中の動作を示すものであり、(Ｂ)は第２通常動作中および第２パージ動作中の動作を示すものである。
【図４】除湿換気運転の第１通常動作における空気の流れを示す調湿装置の概略の平面図、右側面図、及び左側面図である。
【図５】除湿換気運転の第２通常動作における空気の流れを示す調湿装置の概略の平面図、右側面図、及び左側面図である。
【図６】加湿換気運転の第１通常動作における空気の流れを示す調湿装置の概略の平面図、右側面図、及び左側面図である。
【図７】加湿換気運転の第２通常動作における空気の流れを示す調湿装置の概略の平面図、右側面図、及び左側面図である。
【図８】単純換気運転における空気の流れを示す調湿装置の概略の平面図、右側面図、及び左側面図である。
【図９】パージ運転における空気の流れを示す調湿装置の概略の平面図、右側面図、及び左側面図である。
【図１０】パージ運転中におけるコントローラの制御動作を示すフロー図である。
【図１１】実施形態の変形例３の調湿装置を示す概略構成図であって、(Ａ)は第１動作中の動作を示すものであり、(Ｂ)は第２動作中の動作を示すものである。
【符号の説明】
【０１２８】
10    調湿装置
11    ケーシング
31    給気側通路（空気通路）
32    内気側通路（空気通路）
33    排気側通路（空気通路）
34    外気側通路（空気通路）
37    第１熱交換器室（空気通路）
38    第２熱交換器室（空気通路）
41    第１内気側ダンパ（開閉機構）
42    第２内気側ダンパ（開閉機構）
43    第１外気側ダンパ（開閉機構）
44    第２外気側ダンパ（開閉機構）
45    第１給気側ダンパ（開閉機構）
46    第２給気側ダンパ（開閉機構）
47    第１排気側ダンパ（開閉機構）
48    第２排気側ダンパ（開閉機構）
50    冷媒回路（調湿手段）
51    第１吸着熱交換器（吸着部材）
52    第２吸着熱交換器（吸着部材）
81    第１バイパス通路（空気通路）
82    第２バイパス通路（空気通路）
83    第１バイパス用ダンパ（開閉機構）
84    第２バイパス用ダンパ（開閉機構）
【図１】
2009109095.tif 000003
【図２】
2009109095.tif 000004
【図３】
2009109095.tif 000005
【図４】
2009109095.tif 000006
【図５】
2009109095.tif 000007
【図６】
2009109095.tif 000008
【図７】
2009109095.tif 000009
【図８】
2009109095.tif 000010
【図９】
2009109095.tif 000011
【図１０】
2009109095.tif 000012
【図１１】
2009109095.tif 000013